(57)【特許請求の範囲】
【請求項１】
ドリル工具（１）であって、
ａ）中心工具軸（Ａ）の周りに回転可能であり、
ｂ）刃表側（１ｂ）上に配置され、前記工具軸（Ａ）に向かう方向で少なくとも一つのチゼルエッジ（１１、５１、１１’、５１’、１１”、５１”）と合流する少なくとも二つの主切れ刃（１０、５０）を有し、
ｃ）前記チゼルエッジ（１１、５１、１１’、５１’、１１”、５１”）が、前記工具軸（Ａ）を囲む中央領域（４）内に延び、
ｄ１）前記チゼルエッジ（１１、５１、１１’、５１’、１１”、５１”）が、前記工具軸を通り先端シンニング領域（２１、６１）まで延びる残存チゼルエッジ（１１ａ、５１ａ、１１ａ’、５１ａ’、１１ａ”、５１ａ”）を形成し、
ｄ２）当該ドリル工具が刃表側（１ｂ）に端面（２３ａ、６３ａ）を形成し、該端面（２３ａ、６３ａ）を分割する領域内で、前記チゼルエッジ（１１、５１、１１’、５１’、１１”、５１”）が前記残存チゼルエッジ（１１ａ、５１ａ、１１ａ’、５１ａ’、１１ａ”、５１ａ”）を形成し、
ｅ）前記主切れ刃（１０、５０）の外端に切れ刃コーナ（１７、５７）が形成され、
ｆ）前記工具軸（Ａ）に対して互いに反対側に位置する主切れ刃（１０、５０）の二つの切れ刃コーナ（１７、５７）を通るか、または反対側の主切れ刃が存在しない場合は一つの切れ刃コーナ（１７、５７）と前記工具軸（Ａ）を通る、直線の接続線（２）が画成され、
ｇ）チゼルエッジ内側領域（１１ｂ、１１ｂ’、１１ｂ”）が、前記残存チゼルエッジ（１１ａ’、５１ａ’、１１ａ”、５１ａ”）の外端から二等辺三角形の領域（Ｄ’、Ｄ”）を通って延び、該二等辺三角形の領域は、頂点と底辺とを有し、頂点である前記残存チゼルエッジ（１１ａ’、５１ａ’、１１ａ”、５１ａ”）の外端から、前記接続線（２）の平行線（ｍ）に対して−１５°から１５°の間の角度で底辺（Ｆ’、Ｆ”）まで延び、前記二等辺三角形の領域はドリル径Ｂの１／１００から１／１０の高さを有し、
ｈ）前記チゼルエッジ（１１’、５１’、１１”、５１”）が、前記二等辺三角形の領域（Ｄ’、Ｄ”）の頂点（Ｓ’、Ｓ”）で該領域内に進入し、その底辺側（Ｆ’、Ｆ”）で前記二等辺三角形の領域（Ｄ’、Ｄ”）から離れ、
ｉ）前記底辺（Ｆ’、Ｆ”）が直線であり前記接続線（２）に対して９０°の角度をなし、
ｊ）前記チゼルエッジ（１１’、５１’、１１”、５１”）が、前記接続線（２）に対して少なくとも２５°の角度（β４’、β４”）で前記二等辺三角形の領域（Ｄ’、Ｄ”）から離れ、前記ベース側（Ｆ’、Ｆ”）に対して最大６５°の角度で前記二等辺三角形の領域（Ｄ’、Ｄ”）から離れる
ことを特徴とするドリル工具（１）。
【請求項２】
ａ）前記チゼルエッジ内側領域（１１ｂ’、１１ｂ”）の開始点（Ｓ’、Ｓ”）が前記二等辺三角形の領域（Ｄ’、Ｄ”）の高さの中心に配置されており、
ｂ）前記二等辺三角形の領域（Ｄ’、Ｄ”）が前記チゼルエッジ内側領域（１１ｂ’、１１ｂ”）の開始点（Ｓ’、Ｓ”）を先端とするピラミッド状をなす
ことを特徴とする請求項１に記載のドリル工具。
【請求項３】
ａ）前記残存チゼルエッジ（１１ａ、５１ａ）が直線に延び、
ｂ）前記残存チゼルエッジ（１１ａ、５１ａ）がセンタリングチップ（３）を形成し、該センタリングチップ（３）が直線であり、
ｃ）８°から１５°の角度の逃げ角が、当該ドリル工具の前記センタリングチップ（３）と加工される平坦面との間に存在する
ことを特徴とする請求項１または２に記載のドリル工具。
【請求項４】
前記中心軸から外側を観察したとき、少なくとも一つの先端シンニング領域（２１、６１）における前記チゼルエッジ（１１、５１、１１’、５１’、１１”、５１”）が、内側湾曲領域（１３、５３、１３’、５３’、１３”、５３”）と、その反対側に湾曲する外側湾曲領域（１２、５２、１２’、５２’、１２”、５２”）を形成し、
前記内側湾曲領域（１３、５３、１３’、５３’、１３”、５３”）が、前記外側湾曲領域（１２、５２、１２’、５２’、１２”、５２”）とは反対側に湾曲し、
前記チゼルエッジ（１１、５１、１１’、５１’、１１”、５１”）が、少なくとも一つの先端シンニング領域（２１、６１）において、少なくとも部分的に直線であるチゼルエッジ外側領域（１１ｃ、５１ｃ、１１ｃ’、５１ｃ’１１ｃ”、５１ｃ”）を有しており、
前記チゼルエッジ外側領域は、略直線形のチゼルエッジ内側領域（１１ｂ、５１ｂ、１１ｂ’、５１ｂ’１１ｂ”、５１ｂ”）と内側で隣接しており、前記内側湾曲領域（１３、５３、１３’、５３’、１３”、５３”）が前記チゼルエッジ内側領域（１１ｂ、５１ｂ、１１ｂ’、５１ｂ’１１ｂ”、５１ｂ”）と前記チゼルエッジ外側領域（１１ｃ、５１ｃ、１１ｃ’、５１ｃ’１１ｃ”、５１ｃ”）との間に位置する
ことを特徴とする請求項１ないし３のいずれかに記載のドリル工具。
【請求項５】
前記外側湾曲領域（１２、５２、１２’、５２’、１２”、５２”）が凸形の湾曲を有し、前記内側湾曲領域（１３、５３、１３’、５３’、１３”、５３”）が凹形の湾曲を有し、
前記外側湾曲領域（１２、５２、１２’、５２’、１２”、５２”）と前記内側湾曲領域（１３、５３、１３’、５３’、１３”、５３”）の間に変曲点が形成される
ことを特徴とする請求項４に記載のドリル工具。
【請求項６】
前記外側湾曲領域（１２、５２、１２’、５２’、１２”、５２”）が前記主切れ刃（１０、５０）と直接隣接して位置しており、前記チゼルエッジ（１１、５１、１１’、５１’、１１”、５１”）から前記主切れ刃（１０、５０）への遷移が、前記中央領域（４）の外縁で生じることを特徴とする請求項４または５に記載のドリル工具。
【請求項７】
前記外側湾曲領域（１２、５２、１２’、５２’、１２”、５２”）または前記内側湾曲領域（１３、５３、１３’、５３’、１３”、５３”）の少なくとも一方が丸みのある部分で形成されることを特徴とする請求項１ないし６のいずれかに記載のドリル工具。
【請求項８】
前記外側湾曲領域（１２、５２、１２’、５２’、１２”、５２”）の曲率半径が０．０８ｍｍ〜３ｍｍの間の範囲から選択されることを特徴とする請求項１ないし７のいずれかに記載のドリル工具。
【請求項９】
前記内側湾曲領域（１３、５３、１３’、５３’、１３”、５３”）の曲率半径が０．１ｍｍ〜１ｍｍの間の範囲から選択されることを特徴とする請求項１ないし８のいずれかに記載のドリル工具。
【請求項１０】
前記チゼルエッジ内側領域（１１ｂ、５１ｂ、１１ｂ’、５１ｂ’１１ｂ”、５１ｂ”）と前記チゼルエッジ外側領域（１１ｃ、５１ｃ、１１ｃ’、５１ｃ’１１ｃ”、５１ｃ”）のなす角度（１８０°−α２、１８０°−α２’、１８０°−β２’、１８０°−β２”）が１３０°〜１６０°の間であることを特徴とする請求項９に記載のドリル工具。
【請求項１１】
前記チゼルエッジ内側領域（１１ｂ、５１ｂ、１１ｂ’、５１ｂ’１１ｂ”、５１ｂ”）が前記接続線（２）に対して−２０°〜３０°の角度（β５’、β５”）で延び、
前記チゼルエッジ内側領域（１１ｂ、５１ｂ、１１ｂ’、５１ｂ’１１ｂ”、５１ｂ”）が、前記接続線（２）と少なくとも大部分で平行に延びることを特徴とする請求項１ないし１０のいずれかに記載のドリル工具。
【請求項１２】
前記チゼルエッジ外側領域（１１ｃ、５１ｃ、１１ｃ’、５１ｃ’１１ｃ”、５１ｃ”）が前記接続線（２）に対して２０°〜５０°の角度（α４、α４’、β４’、β４”）で延びることを特徴とする請求項１ないし１１のいずれかに記載のドリル工具。
【請求項１３】
前記チゼルエッジ内側領域（１１ｂ、５１ｂ、１１ｂ’、５１ｂ’１１ｂ”、５１ｂ”）と残存チゼルエッジ（１１ａ、５１ａ、１１ａ’、５１ａ’、１１ａ”、５１ａ”）のなす角度（α１、α１’、β１’、β１”）が１１０°〜１４０°であることを特徴とする請求項１ないし１２のいずれかに記載のドリル工具。
【請求項１４】
前記残存チゼルエッジ（１１ａ、５１ａ、１１ａ’、５１ａ’、１１ａ”、５１ａ”）と接続線（２）のなす角度（α３、α３’、β３’、β３”）が４０°〜６０°であることを特徴とする請求項１ないし１３のいずれかに記載のドリル工具。
【請求項１５】
前記チゼルエッジ内側領域（１１ｂ、５１ｂ）と残存チゼルエッジ（１１ａ、５１ａ、１１ａ’、５１ａ’、１１ａ”、５１ａ”）との間の角度（α１、α１’、β１’、β１”）と、前記残存チゼルエッジ（１１ａ、５１ａ、１１ａ’、５１ａ’、１１ａ”、５１ａ”）と接続線（２）との間の角度（α３、α３’、β３’、β３”）の和が、１７０°と１９０°の間であることを特徴とする請求項１ないし１４のいずれかに記載のドリル工具。
【請求項１６】
ａ）前記センタリング領域（３）の境界が、前記残存チゼルエッジ（１１ａ、５１ａ）によって形成される切断面において、前記先端シンニング領域（２１、６１）によって定められ、前記センタリング領域（３）が、前記接続線（２）によって形成される切断面内で端面（２３ａ、６３ａ）と合流し、
ｂ）前記端面（２３ａ、２３ｂ、６３ａ、６３ｂ）の境界が少なくとも一つの端面エッジ（２４、２５、６４、６５）と主切れ刃（１０、５０）によって定められ、円錐先端研削または平面研削によって提供され、
ｃ）前記チゼルエッジ（１１、５１、１１’、５１’、１１”、５１”）、前記残存チゼルエッジ（１１ａ、５１ａ、１１ａ’、５１ａ’、１１ａ”、５１ａ”）、前記先端シンニング領域（２１、６１）の少なくとも一つが、円錐先端研削または平面研削または四面研削プロセスによって生成される
ことを特徴とする請求項１ないし１５のいずれかに記載のドリル工具。
【請求項１７】
前記チゼルエッジ内側領域（１１ｂ、５１ｂ、１１ｂ’、５１ｂ’１１ｂ”、５１ｂ”）の長さが、前記ドリル工具の直径（Ｂ）の１／１００から１／１０の間であることを特徴とする請求項１ないし１６のいずれかに記載のドリル工具。
【請求項１８】
ａ）少なくとも一つの主切れ刃（１０、５０）が直線の設計であるか、その外形に沿って同一方向に曲がるように設計されるか、凸型または凹型の設計であり、
ｂ）前記主切れ刃（１０、５０）が、中央領域（４）から半径方向外側に延び軸方向にらせん状に走る荷重負荷領域（２６、６６）であって、その側面にチップ表面（１９、５９）を形成しその外面にランド（２０、６０）を形成する荷重負荷領域上に配置され、
ｃ）当該ドリル工具が、ドリル工具の最大直径（Ｂ）を定めるベベル（１８、５８）を有しており、
ｄ）当該ドリル工具が、前記荷重負荷領域のランド（２０、６０）の範囲内で、前記ベベル（１８、５８）の間に比較的小さな直径を有し、
ｅ）当該ドリル工具が、前記刃表側（１ａ）上で開口する少なくとも二つのチップ溝（１５、５５）を有し、前記主切れ刃（１０、５０）が前記チップ溝（１５、５５）の刃表側端部に配置され、クーラントダクト（１６、５６）が前記チップ溝（１５、５５）の間に配置される
ことを特徴とする請求項１ないし１７のいずれかに記載のドリル工具。
【請求項１９】
ａ）前記先端シンニング領域（２１、６１）が前記チップ表面（１９、５９）を越えて前記ドリルの直径（Ｂ）の最大５０％の深さを越えて延び、
ｂ）前記先端シンニング領域（２１、６１）が内側斜角部（２２、６２）を形成し、前記刃表側（１ｂ）から観察したときに前記チゼルエッジ（１１、５１、１１’、５１’、１１”、５１”）がＳ字形の外観を有する
ことを特徴とする請求項１ないし１８のいずれかに記載のドリル工具。
【発明の詳細な説明】
【技術分野】
【０００１】
本発明はドリル工具に関する。
【背景技術】
【０００２】
工具軸の周りに回転可能であり、その刃表側（face side）に二つまたは三つの主切れ刃（major cutting edge）を有し、主切れ刃が内側方向でチゼルエッジ（chisel edge）に合流するドリル工具（drilling tool）が知られている。チゼルエッジは、その刃表側でドリル工具の中央領域またはコア領域内に延びる。その名前に反して、ドリル工具のチゼルエッジは通常、主に切断動作ではなく削り動作を行う。通常、チゼルエッジはドリル方向すなわち送り方向と直交しており、必要な作動圧力を増加させる。チゼルエッジの送り力は、ドリル工具の全送り力のおよそ１／３にもなることがある。さらに、ドリル開始時に横方向に位置変位するいわゆる「暴走（runaway）」の危険性もある。したがって、このようなドリル工具の自己センタリング能力は特に良いとは言えない。
【０００３】
上記の欠点を減らすために、ドリル工具、特に直線の主切れ刃を有するドリル工具には、チゼルエッジを短くするために、いわゆる先端シンニング（point thinning）、特に交差（crossed）先端シンニングまたはいわゆるＳ字形先端シンニングを設けることが多い。しかしながら、上記の先端シンニング形状の欠点は、この種のドリル工具の自己センタリング能力が良好でないことである。この理由は、先端シンニングされたチゼルエッジ（残存（residual）チゼルエッジとも呼ばれる）と中央領域上のチゼルエッジ部分との間の角度が、かなりの鈍角となるためである。この角度は、通常１３０°から１６０°の範囲となる。
【０００４】
したがって、残存チゼルエッジ角度、すなわち残存チゼルエッジと主切れ刃の外端部（いわゆる切れ刃コーナ）の直線接続線との間の角度を、通常の５５°から約７０°に増大させる試みがなされている。しかしながら、このようにするとドリル工具と機械加工面との間の逃げ角が中央領域においてかなり小さくなり、ドリル工具が中央領域において自由に動けなくなるという欠点がある。
【０００５】
自己センタリング能力を改善する他の可能性は、チゼルエッジ角、すなわち先端シンニングされていないチゼルエッジと切れ刃コーナの接続線との間の角度を、例えば１０°まで減らすことである。しかしながら、これは、凹曲面の主切れ刃を有するドリル工具においてのみ可能なことである。直線状の主切れ刃または凸曲面の主切れ刃を有するドリルでは、上記のチゼルエッジ角を減少させると、先端シンニングが主切れ刃の領域に引き込まれることになる。これには、上記領域におけるすくい角が小さくなりすぎるという欠点がある。
【０００６】
特許文書ＤＥ  ８３  ５３１および追加特許８４  ４１３は、切れ刃の方を向く表面上に鋭角の長手リブを有する直線上またはらせんコイル状の長手溝を備えた円筒形ドリルを提案する。
【０００７】
ＤＥ  １９９  ８３  ０６８  Ｔ１は、軸から離れて配置された、二次切れ刃の軸方向最外部の先端を介して二つのベベルの二次切れ刃と合流する凹型チゼルエッジを備えたドリルヘッドに関連する。
【発明の概要】
【発明が解決しようとする課題】
【０００８】
本発明の目的は、ドリル工具、特に交差先端シンニングまたはＳ字形先端シンニングを有し、改善された自己センタリング挙動を有するドリル工具を提供し、それによって上述した欠点を少なくとも部分的に回避することにある。
【課題を解決するための手段】
【０００９】
上記の目的は、請求項１および本発明の更なる実施形態に係るドリル工具によって達成される。有利な改良点は、請求項１および本発明の更なる実施形態に従属する請求項から生じる。
【００１０】
請求項１によると、本発明は、中心工具軸の周りに回転可能であり、刃表側上に配置され、工具軸に向かう内側方向で少なくとも一つのチゼルエッジと合流する少なくとも二つの主切れ刃を有し、チゼルエッジが、工具軸を囲む中央領域内でまたは中央領域を越えて刃表側上に延び、チゼルエッジが、工具軸を通る最も内側の領域内に、または工具軸の領域内に、および／または先端シンニング領域に隣接して内側に、残存チゼルエッジを形成し、主切れ刃の外端に切れ刃コーナが形成され、工具軸に対して互いに反対側に位置する主切れ刃の二つの切れ刃コーナを通るか、または反対側の主切れ刃が存在しない場合に一つの切れ刃コーナと工具軸を通る、直線の接続線が画成され、領域内で、接続線の平行線に対して−１５°から１５°の間の角度で、残存チゼルエッジの外端から延びるチゼルエッジ内側領域であって、ドリル径Ｂの１／１００から１／１０の長さを有し、好ましくは領域のベース側の範囲のチゼルエッジ内側領域を備えるドリル工具に関する。接続線の平行線に対して−１５°から１５°の間の角度範囲により、自己センタリング性能が改善される十分な可能性がある一方、チゼルエッジの領域でドリル工具が高い安定性を有する。ドリル径の１／１００から１／１０の長さにより、同様に一般に自己センタリング性能が改善され、同時にドリル中に形成されるチップの回転半径が大きくなり過ぎないようにする。
【００１１】
独立項および従属項の両方で請求される本発明の更なる実施形態によると、本発明は、中心工具軸の周りに回転可能であり、刃表側上に配置され、工具軸に向かう内側方向で少なくとも一つのチゼルエッジと合流する少なくとも二つの主切れ刃を有し、チゼルエッジが、工具軸を囲む中央領域内でまたは中央領域を越えて刃表側上に延び、チゼルエッジが、工具軸を通る最も内側の領域内に、または工具軸の領域内に、および／または先端シンニング領域に隣接して内側に、残存チゼルエッジを形成し、主切れ刃の外端に切れ刃コーナが形成され、工具軸に対して互いに反対側に位置する主切れ刃の二つの切れ刃コーナを通るか、または反対側の主切れ刃が存在しない場合に一つの切れ刃コーナと工具軸を通る、直線の接続線が画成され、チゼルエッジ、特にチゼルエッジ内側領域が領域内を走りおよび／または延び、
ａ）領域が、残存チゼルエッジの外端にあるチゼルエッジ内側領域の開始点の先端から、接続線と平行に走る対称軸に沿って、湾曲の内側領域にあるチゼルエッジ内側領域の終点に対して横方向である範囲および／またはベース側の範囲で、好ましくはドリル径の１／１００から１／１０の長さにわたって広がり、
ｃ）領域が、対称軸に対して対称であり、点ｌにおいてｂ（ｌ）＝２・ｌ・ｔａｎ１５°の幅ｂを点ｌに有しており、
ｄ）変数ｌが、対称軸に沿った先端への間隔を表しているドリル工具に関する。
この実施形態および以下の実施形態は、接続線の平行線に対して−１５°から１５°の角度範囲を生じることが好ましい。これは、第１に自己センタリング性能を改善する十分な可能性があり、第２にチゼルエッジの範囲内でドリル工具が高い安定性を発揮する。ドリル径の１／１００から１／１０の長さにより、同様に一般に自己センタリング性能が改善され、同時にドリル中に形成されるチップの回転半径が大きくなり過ぎないようにする。
【００１２】
独立項および従属項の両方で請求される本発明の更なる実施形態によると、本発明は、中心工具軸の周りに回転可能であり、刃表側上に配置され、工具軸に向かう内側方向で少なくとも一つのチゼルエッジと合流する少なくとも二つの主切れ刃を有し、チゼルエッジが、工具軸を囲む中央領域内でまたは中央領域を越えて刃表側上に延び、チゼルエッジが、工具軸を通る最も内側の領域内に、または工具軸の領域内に、および／または先端シンニング領域に隣接して内側に、残存チゼルエッジを形成し、主切れ刃の外端に切れ刃コーナが形成され、工具軸に対して互いに反対側に位置する主切れ刃の二つの切れ刃コーナを通るか、または反対側の主切れ刃が存在しない場合に一つの切れ刃コーナと工具軸を通る、直線の接続線が画成され、チゼルエッジ、特にチゼルエッジ内側領域が領域内を走りおよび／または延び、
ｂ）領域は断面が三角形形状であり、
ｃ）三角形が、残存チゼルエッジの外端にあるチゼルエッジ内側領域の開始点の先端から、接続線と平行に走る対称軸に沿って、湾曲の内側領域にあるチゼルエッジ内側領域の終点に対して横方向である範囲および／またはベース側の範囲で、高さだけ広がり、
ｄ）三角形の高さが、好ましくはドリル径Ｂの１／１００から１／１０であり、
ｅ）三角形は高さに対して対称であるか、および／または等辺三角形であるか、および／または工具軸と直交に延び、
ｆ）三角形がｂ＝２・ｈ・ｔａｎ１５°の幅ｂを有するドリル工具に関する。
【００１３】
有利な一実施形態では、領域が、三角形の高さの半分に対応する高さを工具軸と平行に有しており、チゼルエッジ内側領域の開始点が領域の高さの中心に配置されることが好ましく、領域がチゼルエッジ内側領域の開始点を先端とするピラミッド状となることが好ましい。これは、自己センタリング性能を同様に改善する。同時に孔が的確な品質となる。これは特に、孔の周縁に少なくとも比較的小さなバリしか生じないことを意味する。
【００１４】
チゼルエッジがその先端で領域に進入し、そのベース側で領域から離れることが好ましい。ベース側は、直線および／または接続線に対して９０°の角度で延びる。
【００１５】
有利な実施形態では、チゼルエッジは接続線に対して少なくとも２５°の角度で、および／またはベース側に対して最大６５°の角度で領域から離れる。これにより、特にチゼルエッジ外側領域が過度に長くならないので、主切れ刃の切削動作が良好になる。
【００１６】
残存チゼルエッジが好ましくは直線に延び、および／またはチゼルエッジ、好ましくは残存チゼルエッジがセンタリングチップを形成し、および／または残存チゼルエッジがセンタリングチップであり、センタリングチップが好ましくは直線に延び、８°から１５°、好ましくは１０°から１２°の角度、特に逃げ角が、ドリル工具のセンタリングチップと加工される平坦面との間に存在することが好ましい。このようにしてセンタリング挙動をさらに改善することができる。分離および／または離脱の可能性が低下するので、特に直線の残存チゼルエッジがその安定性を同時に増大させる。
【００１７】
独立項および従属項の両方で請求される本発明の更なる実施形態によると、本発明によるドリル工具は、中心工具軸の周りに回転可能であり、刃表側すなわち工具軸に対して軸方向に位置する端面を有する。上記刃表側には、工具軸に向かう内側方向で一つのチゼルエッジまたは共通の切れ刃に合流する少なくとも二つの主切れ刃が配置される。チゼルエッジは、上記ドリル工具の刃表側において、工具軸を囲むかまたは工具軸を中心に配置されるドリル工具の中央領域またはコア領域内にまたはこれを越えて延びる。チゼルエッジは少なくとも一つの領域、特に先端シンニング領域を有する。チゼルエッジは、内側または中心軸から隣接する主切れ刃の方を向く外側を観察したときに、湾曲の内側領域および湾曲の外側領域を有するかまたはこれらを形成する。湾曲の内側領域は、湾曲の外側領域とは反対側に湾曲する。
【００１８】
チゼルエッジの上記特別な形状すなわち先端シンニングは、適切な形状のセンタリング領域またはチゼルエッジ上のセンタリングチップをもたらし、これによって、主切れ刃の寸法を大きく損なう必要なく、ドリル工具の自己センタリングを改善することができる。
【００１９】
湾曲の外側領域は、工具軸の方向に左向きの湾曲を有することが好ましく、湾曲の内側領域は、工具軸の方向に右向きの湾曲を有することが好ましい。湾曲の外側領域は、凸形の湾曲を形成することが好ましく、湾曲の内側領域は、凹形の湾曲を形成することが好ましい。湾曲の外側領域と湾曲の内側領域との間に変曲点が形成されることが好ましい。変曲点は、幾何学的感覚において、左向きの湾曲から右向きの湾曲、またはその逆に湾曲が変化する点、または分析的側面からは、二次導関数の符号が変化する点である。上述の実施形態により、チゼルエッジの先端シンニングが特に簡単になり、またはチゼルエッジ上のセンタリングエッジの形成が可能になる。
【００２０】
有利な実施形態では、チゼルエッジの湾曲の外側領域が、遷移領域内にまたは主切れ刃と直接隣接して位置している。チゼルエッジの主切れ刃への遷移は、一般に中央領域の外縁で生じる。
【００２１】
互いに反対向きに曲がる湾曲の二つの領域の一方または両方が、滑らかなまたは連続微分可能な遷移で、チゼルエッジの丸められた部分によって形成されることが好ましい。これにより、主切れ刃からチゼルエッジへの一様な遷移が可能になり、したがって内側から外側への一様なドリル挙動が可能になる。湾曲の外側領域の曲率半径は、一定であっても変化してもよく、特に０．０８ｍｍ〜３ｍｍの間の範囲から選択される。湾曲の内側領域の曲率半径は、一定であっても変化してもよく、特に０．１ｍｍ〜１ｍｍの範囲から選択される。しかしながら、湾曲の領域は、角のある設計でもよいし、またはさらに小さい曲率半径で形成されてもよい。
【００２２】
有利な実施形態では、チゼルエッジは、特に少なくとも一つの先端シンニング領域において、少なくとも部分的に少なくとも略直線のチゼルエッジ外側領域を有しており、内側方向で少なくとも略直線のチゼルエッジ内側領域と隣接しており、湾曲の内側領域がチゼルエッジ内側領域とチゼルエッジ外側領域との間に位置する。チゼルエッジ内側領域を少なくとも略直線の設計にすることで、センタリング領域の特に効果的な設計が可能になる。チゼルエッジの湾曲の外側領域は、主切れ刃の方を向いてチゼルエッジ外側領域のエッジに一般に位置する。
【００２３】
工具軸に対して互いに反対側に位置する二つの主切れ刃の外端に位置する二つの切れ刃コーナを通るか、または反対側の主切れ刃が存在しない場合に一つの主切れ刃の切れ刃コーナと工具軸とを通る、直線の接続線が画成されることが好ましい。
【００２４】
チゼルエッジ内側領域が接続線に対してある角度で延び、この角度が−２０°から３０°、好ましくは−１５°から１５°、特に好ましくは０°（すなわち平行）から１０°の範囲となるように選択されることが好ましい。チゼルエッジ内側領域が、接続線と少なくとも大部分で平行に延びると特に有利である。上記設計により、特に顕著な、すなわちドリル工具の自己センタリングに関して特に都合の良いセンタリングチップをチゼルエッジ上に形成することが可能になる。
【００２５】
有利な実施形態では、チゼルエッジは、工具軸を通る最も内側の範囲内に、または工具軸の範囲内に配置されるか、および／またはチゼルエッジの先端シンニング領域の内側に配置されるか、および／または工具の刃表側に位置する端面を分割するチゼルエッジの範囲に配置される、いわゆる残留チゼルエッジを有するかまたは形成する。
【００２６】
チゼルエッジに対して以下の更なる角度が選択されることが好ましい。
・チゼルエッジ内側領域とチゼルエッジ外側領域の間に、好ましくは１３０°から１６０°、特に１４５°から１５０°の範囲にある鈍角
・チゼルエッジ外側領域と接続線の間に、２０°から５０°、特に３０°から３５°の範囲から特に選択される鋭角
・チゼルエッジ内側領域と残存チゼルエッジの間に、好ましくは１１０°から１４０°、または特に好ましくは１２０°から１５０°、特に１２５°から１３５°の範囲である鈍角
・残存チゼルエッジと接続線の間に、特に好ましくは４０°から６０°の範囲、特に約５５°である鋭角
・チゼルエッジ内側領域と残存チゼルエッジの間の角度と、残存チゼルエッジと接続線の間の角度の和が、１７０°から１９０°、好ましくは１８０°から１９０°の範囲
【００２７】
上記の形態および角度は、ドリル挙動に悪影響を及ぼすことなく、自己センタリング性能がさらに改善される。なぜなら、このようにすると、チゼルエッジの領域内で特に顕著な先端シンニングが可能となり、第１にセンタリング領域をより顕著なレベルに引き上げることができるが、第２に主切れ刃に悪影響を与えないからである。
【００２８】
チゼルエッジ内側領域の長さは、ドリル径の１／１００から１／１０であることが好ましい。
【００２９】
有利な実施形態では、残存チゼルエッジによって形成される切断面において、センタリング領域の境界が先端シンニング領域によって定められ、および／または接続線によって形成される切断面において、センタリング領域が端面と合流する。これにより、観察される側に応じて異なる形状を有するセンタリング領域を形成することが可能になり、ドリル開始時の挙動がさらに改善される。
【００３０】
端面の境界が、少なくとも一つの端面エッジによって定められることが好ましく、および／または、主切れ刃が円錐先端研削または平面研削によって提供されることが好ましい。端面は、いずれも互いにある角度で配置された複数の表面を有してもよい。チゼルエッジおよび／または残存チゼルエッジおよび／または先端シンニング領域が、円錐先端研削または四面研削プロセスによって生成されることが好ましい。これにより、ドリル工具の少なくとも比較的効率的なおよび／または安価な製造が可能になるか容易になる。
【００３１】
少なくとも一つの主切れ刃が直線の設計であるか、その外形に沿って同一方向に曲がるように設計されるか、および／または凸型または凹型の設計であることが好ましい。
【００３２】
有利な実施形態では、主切れ刃が、中央領域から半径方向外側に延び軸方向にらせん状に走る荷重負荷体または荷重負荷領域上に配置されることが好ましい。荷重負荷体または荷重負荷領域は、特にチップ溝の間にあり、その側面にチップ表面を形成し、その外面にランドを形成する。これにより、チップを効率的な態様で運び出すことが可能になる。
【００３３】
ａ）ドリル工具が、ドリル工具の最大直径を定めるベベルを有しており、
ｂ）特にランドの範囲内で、ドリル工具がベベルの間に比較的小さな直径を有することが好ましい。これにより、ドリル穴へのドリル工具の案内が改善される。
【００３４】
有利な実施形態では、ドリル工具が刃表側上で開口する少なくとも二つのチップ溝を有し、主切れ刃がチップ溝の刃表側端部に配置され、クーラントダクトがチップ溝の間に配置されることが好ましい。ドリルプロセスの間、クーラントダクトを介してクーラントを供給することができる。側部流路を介してチップ溝内にクーラントを導くことも可能である。
【００３５】
先端シンニング領域がチップ表面を越えて、好ましくは第１および第２のチップ表面を越えて延び、および／またはドリルの直径の最大５０％の深さを越えて延びることが好ましい。このようにすると、端面から離れた方を向く領域のチップ溝において、先端シンニングにより及ぼされるドリル工具の悪影響をわずかな程度となる。
【００３６】
有利な実施形態では、刃表側から観察したときに少なくとも一つのチゼルエッジがＳ字形の外観を有する（Ｓ字形の先端シンニング）ように、特に内側斜角部を用いて先端シンニング領域が形成される。
【００３７】
本発明によるドリル工具の設計を、硬質の金属、特に固体カーバイドで構成されるドリル工具で有利に使用することができる。しかし、本発明によるドリル工具の設計を、作動高速度鋼または超高速度鋼（ＨＳＳ）のような他の材料で構成されるドリルにも同様に使用することができる。
【００３８】
例示的な実施形態に基づき、以下で本発明について説明する。以下の図面が参照される。
【図面の簡単な説明】
【００３９】
【図１ａ】本発明に係るドリル工具の刃表（face）領域の斜視図である。
【図１ｂ】図１ａに係るドリル工具の刃表領域を図１ａに対してわずかに回転させた斜視図である。
【図２】図１ａの本発明に係るドリル工具の刃表側を示す図である。
【図３ａ】図１ａから図２に係るドリルの刃表側の詳細を示す図である。
【図３ｂ】図３ａと同様に詳細を示す図である。
【図４】残存チゼルエッジに対して９０°のドリルの輪郭を示す図である。
【図５】（ａ）、（ｂ）は本発明に係るドリル工具の更なる実施形態の詳細を示す図である。
【図６】（ａ）、（ｂ）は本発明に係るドリル工具の更なる実施形態の詳細を示す図である。
【発明を実施するための形態】
【００４０】
図１ａは、側面から見たドリル１の刃表側を示し、図１ｂは、図１ａのドリル先端１ａを、図１ａに対してわずかに回転させて同様に側面から見た図である。図２は、刃表側１ｂから見た図１ａおよび図１ｂのドリル１を示す。図３ａおよび図３ｂは、図１ａ、図１ｂおよび図２のドリルを刃表側から見た詳細を示す。
【００４１】
上記の図面において、図２は、反対方向に延びる二つの主切れ刃１０、５０を有するドリル１を示す。
【００４２】
主切れ刃１０は荷重負担領域２６上に配置され、主切れ刃５０は荷重負担領域６６上に配置される。いずれの場合も、荷重負担領域は中央領域４から延び出す。
【００４３】
外端では、主切れ刃１０が切れ刃コーナ１７を形成し、主切れ刃５０が切れ刃コーナ５７を形成する。切れ刃コーナ１７と５７の間には、接続線２が描かれている。
【００４４】
荷重負担領域２６は、互いにある角度を持って隣接配置される端面２３ａ、２３ｂによって刃表側で区切られている。荷重負担領域６６は、互いにある角度を持って隣接配置された端面６３ａ、６３ｂによって刃表側で区切られている。
【００４５】
図示の例示の実施形態では、端面エッジ２４によって端面２３ａと２３ｂが互いに接続されており、また端面エッジ６４によって端面６３ａと６３ｂも互いに接続されている。
【００４６】
端面エッジ２４と反対側に位置する側では、主切れ刃１０とチゼルエッジ１１によって端面２３ａの境界が定められている。端面エッジ６４と反対側に位置する側では、主切れ刃５０とチゼルエッジ５１によって端面６３ａの境界が定められている。ランド２０によって端面２３ａの外側方向の境界が定められ、ランド６０によって端面６３ａの外側方向の境界が定められる。
【００４７】
主切れ刃１０から離れた側では、端面２３ｂが端面エッジ２５を有する。上記の端面エッジ２５は、チップ溝５５の刃表側端部を形成する先端シンニング領域２１の境界を定める。これと対応して、主切れ刃５０から離れた側では、端面６３ｂが端面エッジ６５を有し、この端面エッジ６５が、チップ溝２５の刃表側端部を形成する先端シンニング領域６１の境界を定める。
【００４８】
端面２３ｂは端面エッジ２５の領域内にクーラント穴１６を有する。同様に、端面６３ｂは端面エッジ６５の領域内にクーラント穴５６を有する。チップ溝１５の境界は、互いにある角度で位置するチップ表面１９と溝ランド表面１９ｂによって定められる。
【００４９】
チップ溝５５の境界も、チップ表面５９と溝ランド表面５９ｂによって定められる。
【００５０】
チップ溝１５の刃表側端部にある先端シンニング領域２１は、チップ表面１９から出て刃表側から離れた溝ランド表面１９ｂに延び、円弧または略Ｕ字形を描いて終了する。上記先端シンニング領域は、ドリル径Ｂの約３０％の深さを有する。
【００５１】
これと対応して、チップ溝の刃表側端部にある先端シンニング領域５１は、チップ表面５９から出て刃表側から離れた溝ランド表面５９ｂに延び、同じく円弧または略Ｕ字形を描いて終了する。上記先端シンニング領域は、ドリル径Ｂの約３０％の深さを有する。
【００５２】
図３ｂから分かるように、主切れ刃１０は、左向きの湾曲を有する湾曲の外側領域１２を経由して、中央領域４に向かう内側方向でチゼルエッジ１１と合流する。主切れ刃５０は、左向きの湾曲を有する湾曲の外側領域５２を経由して、中央領域４に向かう内側方向でチゼルエッジ５１と合流する。
【００５３】
したがって、（結合された）チゼルエッジ１１、５１が主切れ刃１０および５０を接続する。
【００５４】
チゼルエッジ１１の残存チゼルエッジ１１ａは、部分接続端面２３ａ、６３ａを含み、先端シンニング領域２１、６１によって長さ方向の境界が定められる。
【００５５】
チゼルエッジ１１の先端シンニング領域は、中央領域４の方向の内側かつ湾曲の外側領域１２に隣接して、チゼルエッジ外側領域１１ｃを有する。チゼルエッジ外側領域１１ｃは、湾曲の内側左曲線領域１３を経由して、残存チゼルエッジ１１ａと隣接するチゼルエッジ内側領域１１ｂと合流する。
【００５６】
チゼルエッジ５１の先端シンニング領域は、中央領域４の方向の内側かつ湾曲の外側領域５２に隣接して、チゼルエッジ外側領域５１ｃを有する。チゼルエッジ外側領域５１ｃは、湾曲の内側左曲線領域５３を経由して、残存チゼルエッジ５１ａと隣接するチゼルエッジ内側領域５１ｂと合流する。
【００５７】
チゼルエッジ内側領域１１ｂとチゼルエッジ内側領域５１ｂは、いずれも少なくとも大部分が直線的なデザインであり、本明細書では切れ刃コーナ１７と５７の間の接続線２と平行に走っている。
【００５８】
残存チゼルエッジ１１ａの分岐の後に、チゼルエッジ内側領域１１ｂは端面エッジ内側領域６５ａと直線的に隣接する。端面エッジ内側領域６５ａは、同じく接続線２と平行である。同様に、残存チゼルエッジ５１ａの分岐の後に、チゼルエッジ内側領域５１ｂは端面エッジ内側領域２５ａと直線的に隣接する。端面エッジ内側領域２５ａは、同じく接続線２と平行である
【００５９】
端面エッジ内側領域２５ａは、湾曲２５ｂの領域によってもう一方の端部が区切られる。ここで、上記の端面エッジ内側領域２５ａが端面エッジ外側領域２５ｃと合流する。端面エッジ内側領域６５ａは、湾曲６５ｂの領域によってもう一方の端部が区切られる。ここで、上記の端面エッジ内側領域６５ａが端面エッジ外側領域６５ｃと合流する。
【００６０】
図２によると、先端シンニング領域２１は内側傾斜部２２を形成する。内側傾斜部２２と先端シンニング領域２１は、刃表側１ｂから観察したときにＳ字形の外観をチゼルエッジ１１に与える。これと対応して、先端シンニング領域６１は内側傾斜部６２を形成する。内側傾斜部分６２は、先端シンニング領域６１の残部とともに、刃表側１ｂから観察したときにＳ字形の外観をチゼルエッジ５１に与える。
【００６１】
チゼルエッジ内側領域１１ｂと残存チゼルエッジ１１ａは互いに相手を含むか、または鈍角α１を形成する。鈍角α１は、具体的には１２０°と１４０°の間であり、好ましくは約１２５°である。チゼルエッジ内側領域５１ｂと残存チゼルエッジ５１ａは互いに相手を含むか、または鈍角α１’を形成する。鈍角α１’は、具体的には１２０°と１４０°の間で選択され、好ましくは約１２５°である。
【００６２】
チゼルエッジ内側領域１１ｂとチゼルエッジ外側領域１１ｃの間には、鋭角の湾曲α２で湾曲の内側領域が形成される。鋭角α２は約２０°から５０°であり、特に約３０°から３５°である。これと対応して、チゼルエッジ内側領域５１ｂとチゼルエッジ外側領域５１ｃの間には、鋭角の湾曲α２’で湾曲の内側領域５３が形成される。鋭角α２’は約２０°から５０°であり、特に約３０°から３５°である。したがって、チゼルエッジ内側領域１１ｂと５１ｂ、および関連するチゼルエッジ外側領域１１ｃと５１ｃの間には、それぞれ１８０°−α２、１８０°−α２’の鈍角（図示せず）が存在する。
【００６３】
図３ａにおいて、残存チゼルエッジ１１ａと接続線２の間の角度α３は１８０°−α１であり、したがって具体的には４０°と６０°の間になり、特に５５°となる。これと対応して、図３ａにおいて、残存チゼルエッジ５１ａと接続線２の間の角度α３’は１８０°−α１’であり、したがって具体的には４０°と６０°の間になり、特に５５°になる。
【００６４】
図示の例示的な実施形態では、チゼルエッジ外側領域１１ｃと接続線２の間の角度α４は、チゼルエッジ内側領域１１ｂとチゼルエッジ外側領域１１ｃの間の角度α２に対応する。これと対応して、チゼルエッジ外側領域５１ｃと接続線２の間の角度α４’について、チゼルエッジ内側領域５１ｂとチゼルエッジ外側領域５１ｃの間の角度α２’と上記角度とが等しいことが言える。したがって、接続線２および二つのチゼルエッジ内側領域１１ｂ、５１ｂは、いずれの場合も図３ａにおいて互いに平行となる。
【００６５】
接続線２と平行であるチゼルエッジ内側領域１１ｂ、５１ｂを有する図示の実施形態とは別に、各チゼルエッジ内側領域１１ｂ、５１ｂを、接続線２に対して１０°までの角度だけ、好ましくは外側方向に傾けることも可能である。
【００６６】
チゼルエッジ内側領域１１ｂの長さは、ドリル直径の１／１００から１／１０の間であり、チゼルエッジ内側領域５１ｂの長さについても同様である。
【００６７】
図４は、残存チゼルエッジ角に対して９０°の角度で、ドリル先端１ａを顕微鏡で観察したときの輪郭または光投影を示す。（先端シンニングされた）チゼルエッジ上に形成されるかまたはチゼルエッジによって形成された直線のセンタリングチップ３をはっきりと見ることができる。直線のセンタリングチップ３は、ドリル工具１のセンタリングを容易にし、同時にセンタリングチップの離脱の可能性も少なくとも比較的低下する。
【００６８】
図５ａ、５ｂ、６ａ、６ｂは、本発明に係るチゼルエッジの更なる実施形態をいずれも模式的に示す。
【００６９】
図３ａおよび図３ｂの実施形態とは対照的に、図５ａおよび図５ｂに係る実施形態では、チゼルエッジ内側領域１１ｂ’が接続線２と平行ではなく、接続線２に対して約８°の角度で形成される。これは、図５ａの角度β５’で示されている。この結果、チゼルエッジ外側領域１１ｃ’とチゼルエッジ内側領域１１ｂ’の間の角度がβ２’になる。角度β２’は約２５°の範囲またはそれ以上であることが好ましい。さらに、残存チゼルエッジ１１ａ’とチゼルエッジ内側領域１１ｂ’の間の角度β１’が、約１３０°の値まで増大する。接続線２に対するチゼルエッジ外側領域１１ｃ’の角度β４’は、約３０°である。本明細書では、チゼルエッジ内側領域１１ｂ’の長さは、ドリル径Ｂの約１／５０である。チゼルエッジ内側領域１１ｂ’は少なくとも実質的に直線に延びる。
【００７０】
チゼルエッジ内側領域１１ｂ’は、領域Ｄ’内に延びる。領域Ｄ’は、残存チゼルエッジ１１ａ’の外端にある開始点Ｓ’から、湾曲の内側領域１３’の終点Ｅ’に対して横方向である範囲で、ドリル径Ｂの約１／５０である長さｈにわたり接続線２と平行に広がる。点ｌにおける接続線２に対して横方向の領域の幅ｂは、
ｂ（ｌ）＝２・ｌ・ｔａｎ１５°
である。変数ｌは、接続線２上の最接近点への間隔を意味する。
【００７１】
したがってこの場合、領域Ｄ’は、高さがドリル工具径Ｂの約１／５０であり、等角がいずれも７５°である、等辺の三角形となる。上記領域Ｄ’内では、各点において、上記の点と残存チゼルエッジの終点Ｓ’とを通る想像直線の接続線２に対する角度が、＋１５°と−１５°の間になる。
【００７２】
対応する説明が、チゼルエッジ内側領域５１ｂ’とチゼルエッジ外側領域５１ｃ’とを有するチゼルエッジ５１’にも当てはまる。
【００７３】
本発明の更なる実施形態が図６ａおよび図６ｂに示されている。図６ａおよび図６ｂでは、チゼルエッジ内側領域１１ｂ”とチゼルエッジ外側領域１１ｃ”の間の湾曲の内側領域１３”が、図５ａおよび図５ｂの場合よりも残存チゼルエッジの終点Ｓ”に近接して配置される。この場合、チゼルエッジ内側領域１１ｂ”と接続線２の間の角度β５”は、約−１５°である。さらに、チゼルエッジ内側領域１１ｂ”とチゼルエッジ外側領域１１ｃ”の間の角度は、約４５°である。チゼルエッジ内側領域１１ｂ”と残存チゼルエッジ１１ａ”の間の角度β１”は、この場合約９５°である。
【００７４】
チゼルエッジ内側領域１１ｂ”は、領域Ｄ”内に延びる。領域Ｄ”は、残存チゼルエッジ１１ａ’の外端にある開始点Ｓ”から、湾曲の内側領域１３”の終点Ｅ”に対して横方向である範囲で、ドリル径Ｂの約１／６０である長さｌにわたり接続線２と平行に広がる。点ｌにおける接続線２に対して横方向の領域の幅ｂは、
ｂ（ｌ）＝２・ｌ・ｔａｎ１５°
である。変数ｌは、接続線２に沿った点Ｓ’への間隔を意味する。
【００７５】
したがってこの場合、領域Ｄ”は、高さがドリル工具径Ｂの約１／６０であり、等角がいずれも７５°である、等辺の三角形となる。上記領域Ｄ”内では、各点において、上記の点と残存チゼルエッジの終点Ｓ”とを通る想像直線の接続線２に対する角度が、＋１５°と−１５°の間になる。
【００７６】
対応する説明が、湾曲の領域５２”、５３”を有するチゼルエッジ５１”にも当てはまる。
【００７７】
この点において、チゼルエッジ内側領域は、一般に、ドリル径Ｂの０．０１から０．１の長さの範囲で、接続線２に対して−１５°〜＋１５°の角度範囲α５の中で変化する。
【００７８】
残存チゼルエッジとチゼルエッジ内側領域との間の角度α１は、約１２０°から１５０°、または１１０°から１４０°の範囲にある。
【００７９】
残存チゼルエッジは直線のデザインであり、従来の円錐先端研削プロセスおよび／または四面研削プロセスを使用して製造される。
【符号の説明】
【００８０】
１  ドリル工具
１ａ  ドリル先端
１ｂ  刃表側
２  接続線
３  センタリングチップ
４  中央領域
１０、５０  主切れ刃
１１、５１、１１’、５１’、１１”、５１”  チゼルエッジ
１１ａ、５１ａ、１１ａ’、５１ａ’、１１ａ”、５１ａ”  残存チゼルエッジ
１１ｂ、５１ｂ、１１ｂ’、５１ｂ’、１１ｂ”、５１ｂ”  チゼルエッジ内側領域
１１ｃ、５１ｃ、１１ｃ’、５１ｃ’、１１ｃ”、５１ｃ”  チゼルエッジ外側領域
１２、５２、１２’、５２’、１２”、５２”  湾曲の外側領域
１３、５３、１３’、５３’、１３”、５３”  湾曲の内側領域
１５、５５  チップ溝
１６、５６  クーラント孔
１７、５７  切れ刃コーナ
１８、５８  ベベル
１９、５９  チップ表面
１９ｂ、５９ｂ  溝ランド表面
１９ｃ、５９ｃ  チップ表面エッジ
２０、６０  ランド
２１、６１  先端シンニング領域
２２、６２  内側傾斜部
２３ａ、２３ｂ、６３ａ、６３ｂ  端面
２４、２５、６４、６５  端面エッジ
２５ａ、６５ａ  端面エッジ内側領域
２５ｂ、６５ｂ  湾曲領域
２５ａ、６５ａ  ベンド
２６、６６  荷重負担領域
Ａ  工具軸
Ｂ  ドリル径
Ｄ’、Ｄ”  三角形
Ｅ’、Ｅ”  終点
Ｆ’、Ｆ”  ベース側
Ｓ’、Ｓ”  先端
ｈ  高さ
ｍ  対象軸
ｌ  長さ
ｂ  幅
【図１ａ】
0005466177.tif 000002
【図１ｂ】
0005466177.tif 000003
【図２】
0005466177.tif 000004
【図３ａ】
0005466177.tif 000005
【図３ｂ】
0005466177.tif 000006
【図４】
0005466177.tif 000007
【図５ａ】
0005466177.tif 000008
【図５ｂ】
0005466177.tif 000009
【図６ａ】
0005466177.tif 000010
【図６ｂ】
0005466177.tif 000011